(57)【要約】【課題】目的の画像を再印刷させる場合のユーザの負担を軽減すること。【解決手段】第１の位置情報取得指示が受け付けられると、携帯端末２の位置を示す位置情報を取得する第１の位置情報取得処理と、取得された位置情報を画像情報に関連付けて記憶装置に記憶させる第１の位置情報記憶処理と、第１の位置情報記憶処理の後に第２の位置情報取得指示が受け付けられると、携帯端末２の位置を示す位置情報を取得する第２の位置情報取得処理と、第２の位置情報取得処理によって取得された位置情報によって示される位置との距離が基準距離以内である位置を示す位置情報が関連付けられている画像情報によって示される画像をラベルプリンタ５に印刷させる第２の印刷制御処理と、を実行する。【選択図】図１
2014153800.tif 000002
【特許請求の範囲】
【請求項１】
位置情報取得部を備える携帯端末とサーバとを備える印刷制御システムであって、
印刷装置に画像を印刷させる第１の印刷制御処理と、
第１の位置情報取得指示を受け付ける第１の指示受付処理と、
前記第１の指示受付処理によって前記第１の位置情報取得指示が受け付けられると、前記携帯端末の位置を示す位置情報を取得する第１の位置情報取得処理と、
前記第１の位置情報取得処理によって取得された位置情報を、前記画像を示す画像情報に関連付けて記憶装置に記憶させる第１の位置情報記憶処理と、
前記第１の位置情報記憶処理の後に、第２の位置情報取得指示を受け付ける第２の指示受付処理と、
前記第２の指示受付処理によって前記第２の位置情報取得指示が受け付けられると、前記携帯端末の位置を示す位置情報を取得する第２の位置情報取得処理と、
前記第２の位置情報取得処理によって取得された位置情報によって示される位置との距離が基準距離以内である位置を示す位置情報が関連付けられている前記画像情報によって示される画像を印刷装置に印刷させる第２の印刷制御処理と、
を実行する印刷制御システム。
【請求項２】
請求項１に記載の印刷制御システムであって、
前記位置情報は前記携帯端末の位置を示す座標であり、
当該印刷制御システムは、
前記第１の指示受付処理によって前記第１の位置情報取得指示が受け付けられると、前記携帯端末が位置している地域を示す地域情報の指定を受け付ける第１の地域情報受付処理を実行し、
前記第１の位置情報記憶処理において、前記第１の位置情報取得処理によって取得された位置情報と前記第１の地域情報受付処理によって受け付けられた前記地域情報とを前記画像情報に関連付けて前記記憶装置に記憶させ、
前記第２の指示受付処理によって前記第２の位置情報取得指示が受け付けられると、前記携帯端末が位置している地域を示す地域情報の指定を受け付ける第２の地域情報受付処理を実行し、
前記第２の印刷制御処理において、前記第２の位置情報取得処理によって取得された位置情報によって示される位置との距離が基準距離以内である位置を示す位置情報が関連付けられている前記画像情報が存在しない場合は、前記第２の地域情報受付処理によって受け付けられた地域情報と一致する地域情報が関連付けられている前記画像情報によって示される画像を印刷させる、印刷制御システム。
【請求項３】
請求項２に記載の印刷制御システムであって、
前記第２の印刷制御処理において、前記第２の地域情報受付処理によって受け付けられた地域情報と一致する地域情報が関連付けられている前記画像情報が複数存在する場合は、当該複数の画像情報の中から印刷させる画像を示す画像情報の選択を受け付ける、印刷制御システム。
【請求項４】
請求項１乃至請求項３のいずれか一項に記載の印刷制御システムであって、
前記第１の位置情報記憶処理において、
前記第１の印刷制御処理によって前記画像が印刷された時刻である印刷時刻を、当該画像を示す前記画像情報に対応付けて前記記憶装置に記憶させる印刷時刻記憶処理と、
前記第１の位置情報取得処理によって取得された位置情報と当該位置情報を取得した時刻である位置情報取得時刻とを対応付けて前記記憶装置に記憶させる位置情報取得時刻記憶処理と、
を実行することによって前記位置情報を前記画像情報に関連付ける、印刷制御システム。
【請求項５】
請求項４に記載の印刷制御システムであって、
前記第２の位置情報取得処理によって取得された位置情報を、当該位置情報によって示される位置との距離が基準距離以内である位置を示す位置情報に対応付けられている位置情報取得時刻に最も近い印刷時刻が対応付けられている前記画像情報に対応付けて前記記憶装置に記憶させる第２の位置情報記憶処理を実行する、印刷制御システム。
【請求項６】
請求項１乃至請求項５のいずれか一項に記載の印刷制御システムであって、
前記第１の位置情報記憶処理の後に、第３の位置情報取得指示を受け付ける第３の指示受付処理と、
前記第３の指示受付処理によって前記第３の位置情報取得指示が受け付けられると、前記携帯端末の位置を示す位置情報を取得する第３の位置情報取得処理と、
前記第３の位置情報取得処理の後に、第４の位置情報取得指示を受け付ける第４の指示受付処理と、
前記第４の指示受付処理によって前記第４の位置情報取得指示が受け付けられると、前記携帯端末の位置を示す位置情報を取得する第４の位置情報取得処理と、
前記画像情報に関連付けられている位置情報のうち前記第３の位置情報取得処理によって取得された位置情報によって示される位置との距離が前記基準距離以内である位置を示す位置情報を、前記第４の位置情報取得処理によって取得された位置情報で更新する更新処理と、
を実行する、印刷制御システム。
【請求項７】
請求項１乃至請求項６のいずれか一項に記載の印刷制御システムであって、
前記画像情報には印刷条件が設定されており、
当該印刷制御システムは、前記第１の印刷制御処理、及び、前記第２の印刷制御処理において、前記画像情報によって示される画像を当該画像情報に設定されている印刷条件に基づいて印刷させる、印刷制御システム。
【請求項８】
サーバと通信する通信部と位置情報取得部とを備える携帯端末で実行される印刷制御プログラムであって、
印刷装置に画像を印刷させる第１の印刷制御処理と、
前記画像を示す画像情報を前記サーバに送信する第１の送信処理と、
第１の位置情報取得指示を受け付ける第１の指示受付処理と、
前記第１の指示受付処理によって前記第１の位置情報取得指示が受け付けられると、前記携帯端末の位置を示す位置情報を取得する第１の位置情報取得処理と、
前記第１の位置情報取得処理によって取得された位置情報を前記サーバに送信して当該位置情報を前記画像情報に関連付けるよう要求する第２の送信処理と、
前記第２の送信処理の後に、第２の位置情報取得指示を受け付ける第２の指示受付処理と、
前記第２の指示受付処理によって前記第２の位置情報取得指示が受け付けられると、前記携帯端末の位置を示す位置情報を取得する第２の位置情報取得処理と、
前記第２の位置情報取得処理によって取得された位置情報を前記サーバに送信して前記画像情報の送信を要求する又は前記画像情報によって示される画像の印刷を要求する第３の送信処理と、
を前記携帯端末に実行させる印刷制御プログラム。
【請求項９】
サーバと通信する通信部と、
位置情報取得部と、
制御部と、
を備える携帯端末であって、
前記制御部は、
印刷装置に画像を印刷させる第１の印刷制御処理と、
前記画像を示す画像情報を前記サーバに送信する第１の送信処理と、
第１の位置情報取得指示を受け付ける第１の指示受付処理と、
前記第１の指示受付処理によって前記第１の位置情報取得指示が受け付けられると、前記携帯端末の位置を示す位置情報を取得する第１の位置情報取得処理と、
前記第１の位置情報取得処理によって取得された位置情報を前記サーバに送信して当該位置情報を前記画像情報に関連付けるよう要求する第２の送信処理と、
前記第２の送信処理の後に、第２の位置情報取得指示を受け付ける第２の指示受付処理と、
前記第２の指示受付処理によって前記第２の位置情報取得指示が受け付けられると、前記携帯端末の位置を示す位置情報を取得する第２の位置情報取得処理と、
前記第２の位置情報取得処理によって取得された位置情報を前記サーバに送信して前記画像情報の送信を要求する又は前記画像情報によって示される画像の印刷を要求する第３の送信処理と、
を実行する、携帯端末。
【請求項１０】
位置情報取得部を備える携帯端末で実行される印刷制御プログラムであって、
印刷装置に画像を印刷させる第１の印刷制御処理と、
第１の位置情報取得指示を受け付ける第１の指示受付処理と、
前記第１の指示受付処理によって前記第１の位置情報取得指示が受け付けられると、前記携帯端末の位置を示す位置情報を取得する第１の位置情報取得処理と、
前記第１の位置情報取得処理によって取得された位置情報を、前記画像を示す画像情報に関連付けて記憶装置に記憶させる第１の位置情報記憶処理と、
前記第１の位置情報記憶処理の後に、第２の位置情報取得指示を受け付ける第２の指示受付処理と、
前記第２の指示受付処理によって前記第２の位置情報取得指示が受け付けられると、前記携帯端末の位置を示す位置情報を取得する第２の位置情報取得処理と、
前記第２の位置情報取得処理によって取得された位置情報によって示される位置との距離が基準距離以内である位置を示す位置情報が関連付けられている前記画像情報によって示される画像を印刷装置に印刷させる第２の印刷制御処理と、
を前記携帯端末に実行させる印刷制御プログラム。
【請求項１１】
位置情報取得部と、
制御部と、
を備える携帯端末であって、
前記制御部は、
印刷装置に画像を印刷させる第１の印刷制御処理と、
第１の位置情報取得指示を受け付ける第１の指示受付処理と、
前記第１の指示受付処理によって前記第１の位置情報取得指示が受け付けられると、前記携帯端末の位置を示す位置情報を取得する第１の位置情報取得処理と、
前記第１の位置情報取得処理によって取得された位置情報を、前記画像を示す画像情報に関連付けて記憶装置に記憶させる第１の位置情報記憶処理と、
前記第１の位置情報記憶処理の後に、第２の位置情報取得指示を受け付ける第２の指示受付処理と、
前記第２の指示受付処理によって前記第２の位置情報取得指示が受け付けられると、前記携帯端末の位置を示す位置情報を取得する第２の位置情報取得処理と、
前記第２の位置情報取得処理によって取得された位置情報によって示される位置との距離が基準距離以内である位置を示す位置情報が関連付けられている前記画像情報によって示される画像を印刷装置に印刷させる第２の印刷制御処理と、
を実行する、携帯端末。
【発明の詳細な説明】
【技術分野】
【０００１】
目的の画像を再印刷させる技術に関する。
【背景技術】
【０００２】
従来、サーバに記憶されている電子文書の印刷を端末装置から要求する電子文書処理システムが知られている（例えば特許文献１参照）。この電子文書処理システムでは、電子文書に文書ＩＤを付与してサーバに記憶させておくとともに、その文書ＩＤを端末装置に電子メールで送信する。そして、端末装置から文書ＩＤを含む印刷要求をサーバに送信すると、サーバはその印刷要求に含まれている文書ＩＤが付与されている電子文書を検索して印刷する。
【先行技術文献】
【特許文献】
【０００３】
【特許文献１】特開２００７−８００４６号公報
【発明の概要】
【発明が解決しようとする課題】
【０００４】
しかしながら、従来の技術によると、ユーザは目的の電子文書を印刷させるとき、端末装置から印刷を要求する前に予めその電子文書の文書ＩＤを調べておかなければならないという問題がある。
本明細書では、目的の画像を再印刷させる場合のユーザの負担を軽減する技術を開示する。
【課題を解決するための手段】
【０００５】
本明細書によって開示される印刷制御システムは、位置情報取得部を備える携帯端末とサーバとを備える印刷制御システムであって、印刷装置に画像を印刷させる第１の印刷制御処理と、第１の位置情報取得指示を受け付ける第１の指示受付処理と、前記第１の指示受付処理によって前記第１の位置情報取得指示が受け付けられると、前記携帯端末の位置を示す位置情報を取得する第１の位置情報取得処理と、前記第１の位置情報取得処理によって取得された位置情報を、前記画像を示す画像情報に関連付けて記憶装置に記憶させる第１の位置情報記憶処理と、前記第１の位置情報記憶処理の後に、第２の位置情報取得指示を受け付ける第２の指示受付処理と、前記第２の指示受付処理によって前記第２の位置情報取得指示が受け付けられると、前記携帯端末の位置を示す位置情報を取得する第２の位置情報取得処理と、前記第２の位置情報取得処理によって取得された位置情報によって示される位置との距離が基準距離以内である位置を示す位置情報が関連付けられている前記画像情報によって示される画像を印刷装置に印刷させる第２の印刷制御処理と、を実行する。
【０００６】
上記印刷制御システムによると、ユーザは画像を再印刷させたい場合はその画像が印刷されている被記録媒体の近傍に端末装置を持っていって第２の位置情報取得指示を行えばよい。このため、ユーザは複数の画像の中から再印刷させる画像を見つけ出す作業を行わなくてよい。
よって上記印刷制御システムによると、目的の画像を再印刷させる場合のユーザの負担を軽減することができる。
【０００７】
また、前記位置情報は前記携帯端末の位置を示す座標であり、当該印刷制御システムは、前記第１の指示受付処理によって前記第１の位置情報取得指示が受け付けられると、前記携帯端末が位置している地域を示す地域情報の指定を受け付ける第１の地域情報受付処理を実行し、前記第１の位置情報記憶処理において、前記第１の位置情報取得処理によって取得された位置情報と前記第１の地域情報受付処理によって受け付けられた前記地域情報とを前記画像情報に関連付けて前記記憶装置に記憶させ、前記第２の指示受付処理によって前記第２の位置情報取得指示が受け付けられると、前記携帯端末が位置している地域を示す地域情報の指定を受け付ける第２の地域情報受付処理を実行し、前記第２の印刷制御処理において、前記第２の位置情報取得処理によって取得された位置情報によって示される位置との距離が基準距離以内である位置を示す位置情報が関連付けられている前記画像情報が存在しない場合は、前記第２の地域情報受付処理によって受け付けられた地域情報と一致する地域情報が関連付けられている前記画像情報によって示される画像を印刷させてもよい。
【０００８】
上記印刷制御システムによると、画像が印刷されている被記録媒体が移動されたとしても、移動後の位置が第１の地域情報受付処理で指定された地域内である場合は、画像に関連付けられている地域情報と第２の地域情報受付処理によって受け付けられた地域情報とが一致するので、当該画像を再印刷させることができる。
【０００９】
また、上記印刷制御システムは、前記第２の印刷制御処理において、前記第２の地域情報受付処理によって受け付けられた地域情報と一致する地域情報が関連付けられている前記画像情報が複数存在する場合は、当該複数の画像情報の中から印刷させる画像を示す画像情報の選択を受け付けてもよい。
【００１０】
上記印刷制御システムによると、同一の地域情報が関連付けられている画像が複数ある場合は、どの画像を印刷させるかを選択することができる。
【００１１】
また、上記印刷制御システムは、前記第１の位置情報記憶処理において、前記第１の印刷制御処理によって前記画像が印刷された時刻である印刷時刻を、当該画像を示す前記画像情報に対応付けて前記記憶装置に記憶させる印刷時刻記憶処理と、前記第１の位置情報取得処理によって取得された位置情報と当該位置情報を取得した時刻である位置情報取得時刻とを対応付けて前記記憶装置に記憶させる位置情報取得時刻記憶処理と、を実行することによって前記位置情報を前記画像情報に関連付けてもよい。
【００１２】
上記印刷制御システムによると、印刷時刻と位置情報取得時刻とを介して画像と位置情報とを関連付けることができる。
【００１３】
また、上記印刷制御システムは、前記第２の位置情報取得処理によって取得された位置情報を、当該位置情報によって示される位置との距離が基準距離以内である位置を示す位置情報に対応付けられている位置情報取得時刻に最も近い印刷時刻が対応付けられている前記画像情報に対応付けて前記記憶装置に記憶させる第２の位置情報記憶処理を実行してもよい。
【００１４】
上記印刷制御システムによると、第１の位置情報取得処理又は第２の位置情報取得処理によって取得された位置情報が画像に直接対応付けられるので、次回第２の位置情報取得処理によって位置情報が取得されたときには、印刷時刻や位置情報取得時刻を介することなく位置情報から直接画像を特定することができる。
【００１５】
また、上記印刷制御システムは、前記第１の位置情報記憶処理の後に、第３の位置情報取得指示を受け付ける第３の指示受付処理と、前記第３の指示受付処理によって前記第３の位置情報取得指示が受け付けられると、前記携帯端末の位置を示す位置情報を取得する第３の位置情報取得処理と、前記第３の位置情報取得処理の後に、第４の位置情報取得指示を受け付ける第４の指示受付処理と、前記第４の指示受付処理によって前記第４の位置情報取得指示が受け付けられると、前記携帯端末の位置を示す位置情報を取得する第４の位置情報取得処理と、前記画像情報に関連付けられている位置情報のうち前記第３の位置情報取得処理によって取得された位置情報によって示される位置との距離が前記基準距離以内である位置を示す位置情報を、前記第４の位置情報取得処理によって取得された位置情報で更新する更新処理と、を実行してもよい。
【００１６】
ユーザは、第１の位置情報記憶処理によって位置情報が画像に関連付けられて記憶された後に、当該画像が印刷されている被記録媒体を移動させる場合がある。
この場合、上記印刷制御システムによると、ユーザは移動後の位置で第２の位置情報取得指示を行っても目的の画像を再印刷させることができる。
【００１７】
また、前記画像情報には印刷条件が設定されており、当該印刷制御システムは、前記第１の印刷制御処理、及び、前記第２の印刷制御処理において、前記画像情報によって示される画像を当該画像情報に設定されている印刷条件に基づいて印刷させてもよい。
【００１８】
上記印刷制御システムによると、画像を再印刷させるとき、その画像を最初に印刷させたときと同じ印刷条件で印刷させることができる。
【００１９】
なお、本明細書によって開示される技術は、印刷制御プログラム、携帯端末、印刷制御方法、印刷制御プログラムを記録した記録媒体等の種々の態様で実現することができる。
【発明の効果】
【００２０】
上記の印刷制御システムによると、目的の画像を再印刷させる場合のユーザの負担を軽減することができる。
【図面の簡単な説明】
【００２１】
【図１】実施形態１に係る印刷制御システムを示す模式図。
【図２】携帯端末及びサーバの電気的構成を示すブロック図。
【図３】位置情報とラベルデータとの関連付けを示す表。
【図４】ラベルデータを印刷する処理のシーケンスチャート。
【図５】携帯端末の位置情報とラベルデータとを関連付ける処理のシーケンスチャート。
【図６】ラベルを再印刷させる処理のシーケンスチャート。
【図７】実施形態２に係る位置情報とラベルデータとの関連付けを示す表。
【図８】位置情報とラベルデータとを関連付ける処理のシーケンスチャート。
【図９】ラベルを再印刷させる処理のシーケンスチャート。
【図１０】ラベルデータ検索処理のフローチャート。
【図１１】実施形態３に係る位置情報とラベルデータとの関連付けを示す表。
【図１２】ラベルを再印刷させる処理のシーケンスチャート。
【図１３】実施形態４に係る位置情報を更新する処理のシーケンスチャート。
【発明を実施するための形態】
【００２２】
＜実施形態１＞
実施形態１を図１ないし図６によって説明する。
（１）印刷制御システムの概略
先ず、図１を参照して、実施形態１に係る印刷制御システム１の概略について説明する。一般に企業などでは備品８を管理する場合に備品８の管理番号や備品８の管理部門などを表すラベル６を備品８に貼り付けて管理することが行われている。印刷制御システム１はラベルプリンタ５にラベル６を印刷させるためのシステムである。ここで、実施形態１では備品８の位置は固定であるとする。すなわち、実施形態１では備品８が移動されることはないことを前提に説明する。
【００２３】
印刷制御システム１は携帯端末２とサーバ３とを含む。サーバ３はＬＡＮ（Ｌｏｃａｌ  Ａｒｅａ  Ｎｅｔｗｏｒｋ）やインターネットなどの通信ネットワーク４に接続されている。図１に示すように通信ネットワーク４にはラベルプリンタ５も接続されている。携帯端末２は無線アクセスポイント９を介して通信ネットワーク４に無線接続されることにより、サーバ３やラベルプリンタ５と通信することができる。
【００２４】
サーバ３はパーソナルコンピュータなどのコンピュータである。サーバ３には上述したラベル６を印刷するためのラベルデータなどが記憶される。ラベルデータは画像情報の一例である。
【００２５】
携帯端末２は携帯端末２自身に記憶されているラベルデータやサーバ３に記憶されているラベルデータをラベルプリンタ５に印刷させるための装置である。携帯端末２としてはノート型のパーソナルコンピュータ、携帯電話、タブレット端末などを用いることができる。携帯端末２はＧＰＳ（Ｇｌｏｂａｌ  Ｐｏｓｉｔｉｏｎｉｎｇ  Ｓｙｓｔｅｍ）衛星７からＧＰＳ信号を受信して自身の緯度経度を示す位置情報を取得する機能を有している。緯度経度は携帯端末の位置を示す座標の一例である。
【００２６】
ラベルプリンタ５はラベルデータが表す画像をテープ状の媒体に印刷することによってラベル６を印刷する装置である。ラベルプリンタ５は印刷装置の一例である。
【００２７】
ところで、備品８にラベル６を貼り付けてからある程度時間が経過すると、ラベル６が剥がれてきたり、汚れてしまったり、退色してしまったり、あるいは一部が破れてしまったりすることがある。そのため備品８の管理者はラベル６を再印刷して貼り直したいと考える場合がある。
ラベル６を再印刷する場合、携帯端末２やサーバ３に複数のラベルデータが記憶されていると、管理者はそれら複数のラベルデータの中からラベル６のラベルデータを見つけ出す手間が生じてしまう。特にラベルデータのファイル名からラベルデータの内容を把握し難いような場合は、ラベル６が印刷されるラベルデータを見つけ出すことは管理者にとって大きな負担となる。
【００２８】
そこで、印刷制御システム１は、携帯端末２によって取得される位置情報を用いることにより、ラベル６を再印刷するときの管理者の負担を軽減する。
具体的には、印刷制御システム１では、管理者は印刷されたラベル６を備品８に張り付けたとき、携帯端末２をラベル６の近傍に持っていって第１の位置情報取得指示を行う。ここでラベル６の近傍とは、少なくともラベル６との距離が他の備品に貼り付けられているラベルとの距離よりも短い位置であればよい。第１の位置情報取得指示を行うと携帯端末２によって位置情報が取得され、取得された位置情報がラベル６の印刷に用いられたラベルデータに関連付けられてサーバ３に記憶される。
【００２９】
そして、管理者はある程度時間が経過してラベル６を再印刷したくなったとき、ラベル６の近傍に携帯端末２を持っていって第２の位置情報取得指示を行う。第２の位置情報取得指示を行うと携帯端末２によって位置情報が取得され、取得された位置情報によって示される位置との距離が基準距離以内である位置を示す位置情報が関連付けられているラベルデータによって表される画像が印刷される。これによりラベル６が再印刷される。
【００３０】
ところで、管理する備品が複数の階に置かれている場合、ある階に置かれている備品Ａの緯度経度と別の階に置かれている他の備品Ｂの緯度経度とが近くなってしまう可能性もある。異なる階に置かれている備品の緯度経度が近いと、備品Ａのラベルを再印刷したい場合に別の階に置かれている備品Ｂのラベルが再印刷されてしまう虞がある。そのため、このような場合は高度情報を取得する手段を更に設け、携帯端末２の位置を緯度、経度、高度の３次元で示す位置情報を取得してもよい。
【００３１】
（２）携帯端末、及び、サーバの電気的構成
次に、図２を参照して、携帯端末２、及び、サーバ３の電気的構成について説明する。
【００３２】
（２−１）携帯端末の電気的構成
携帯端末２はＣＰＵ２１、ＲＯＭ２２、ＲＡＭ２３、表示部２４、操作部２５、位置情報取得部２６、記憶部２７、及び、無線通信インタフェース２８を備えている。
【００３３】
ＣＰＵ２１はＲＯＭ２２や記憶部２７に記憶されているプログラムを実行することによって携帯端末２の各部を制御する。ＲＯＭ２２にはＣＰＵ２１によって実行されるプログラムやデータなどが記憶されている。ＲＡＭ２３はＣＰＵ２１が各種の処理を実行するための主記憶装置として用いられる。ＣＰＵ２１は制御部の一例である。
【００３４】
表示部２４は液晶ディスプレイなどの表示装置、表示装置を駆動するディスプレイ駆動回路などを備えて構成されている。
操作部２５は表示部２４の表示面を覆うタッチパネルや各種の操作ボタンなどで構成されている。
位置情報取得部２６はＧＰＳ衛星７からＧＰＳ信号を受信することにより、携帯端末２の緯度経度を示す位置情報を取得する。なお、位置情報取得部２６は携帯端末２の位置情報を取得できる構成であればよく、ＧＰＳ信号によって位置情報を取得する構成に限定されない。例えば通信ネットワーク４から携帯端末２の位置を示す情報を受信することによって位置情報を取得してもよいし、管理者から位置情報の入力を受け付けることによって位置情報を取得してもよい。
【００３５】
記憶部２７はハードディスクやフラッシュメモリなどの不揮発性のメモリを用いて各種のプログラムやデータを記憶する装置である。記憶部２７にはオペレーティングシステム（ＯＳと記す）４１、ラベル印刷プログラム４２、ラベルデータ４３などが記憶される。記憶部２７に記憶されているプログラムはＣＰＵ２１によって実行される。記憶部２７は記憶装置の一例である。
ラベル印刷プログラム４２は後述する印刷制御システム１の処理における携帯端末２側の処理を携帯端末２に実行させるプログラムである。ラベル印刷プログラム４２は印刷制御プログラムの一例である。
【００３６】
無線通信インタフェース２８は無線アクセスポイント９を介して通信ネットワーク４に無線接続するためのハードウェアを含む通信インタフェースであり、ＩＥＥＥ８０２．１１などの無線通信規格に従って構成されている。無線通信インタフェース２８は通信部の一例である。
【００３７】
（２−２）サーバの電気的構成
サーバ３はＣＰＵ３１、ＲＯＭ３２、ＲＡＭ３３、表示部３４、操作部３５、通信インタフェース３６、及び、記憶部３７を備えている。
ＣＰＵ３１はＲＯＭ３２や記憶部３７に記憶されているプログラムを実行することによってサーバ３の各部を制御する。ＲＯＭ３２にはＣＰＵ３１によって実行されるプログラムやデータなどが記憶されている。ＲＡＭ３３はＣＰＵ３１が各種の処理を実行するための主記憶装置として用いられる。
【００３８】
表示部３４は液晶ディスプレイなどの表示装置、表示装置を駆動するディスプレイ駆動回路などを備えて構成されている。
操作部３５はキーボードやマウスなどの入力装置、それらの入力装置を接続するためのハードウェアなどを備えて構成されている。
通信インタフェース３６は通信ネットワーク４を介して他の装置と通信するためのハードウェアを含むインタフェースである。
【００３９】
記憶部３７はハードディスクやフラッシュメモリなどの不揮発性のメモリを用いて各種のプログラムやデータを記憶する装置である。記憶部３７にはオペレーティングシステム（ＯＳと記す）４４、ラベルデータ管理プログラム４５、ラベルデータ４６などが記憶される。記憶部３７に記憶されているプログラムはＣＰＵ３１によって実行される。記憶部３７は記憶装置の一例である。
上述したラベルデータ管理プログラム４５は、後述する印刷制御システム１の処理におけるサーバ３側の処理をサーバ３に実行させるプログラムである。
【００４０】
（３）印刷制御システムの処理
次に、印刷制御システム１の処理について説明する。ここでは先ず位置情報とラベルデータとの関連付けについて説明し、その後にシーケンスチャートを参照して印刷制御システム１の処理の流れについて説明する。
【００４１】
（３−１）位置情報とラベルデータとの関連付け
先ず、図３を参照して、前述した第１の位置情報取得指示が行われたときに携帯端末２によって取得された位置情報とラベルデータとの関連付けについて説明する。便宜上、図３では各データに番号（データ１からデータ６）を付して示している。
【００４２】
印刷制御システム１は、ラベルデータを用いてラベルを印刷したとき、そのラベルデータのファイル名にその印刷を行ったときの年月日時分を示す印刷時刻を対応付けてサーバ３の記憶部３７に記憶する。図３においてデータ１からデータ３は印刷時刻とラベルデータのファイル名とを対応付けているデータである。
【００４３】
そして、印刷制御システム１は、上述した第１の位置情報取得指示が行われると、携帯端末２によって取得された位置情報とその位置情報を取得したときの年月日時分を示す位置情報取得時刻とを対応付けてサーバ３の記憶部３７に記憶する。図３においてデータ４からデータ６は位置情報取得時刻と位置情報とを対応付けているデータである。
【００４４】
位置情報とラベルデータとの関連付けは、印刷時刻と位置情報取得時刻とを介して行われる。具体的には、各位置情報は、その位置情報に対応付けられている位置情報取得時刻より過去の時刻を示す印刷時刻のうち当該位置情報取得時刻に最も近い印刷時刻に対応付けられているラベルデータに関連付けられている。
【００４５】
例えばデータ５の場合、データ５の位置情報に対応付けられている位置情報取得時刻より過去の時刻を示す印刷時刻はデータ１の印刷時刻及びデータ２の印刷時刻の二つである。これら二つの印刷時刻のうちデータ５の位置情報取得時刻に最も近い印刷時刻はデータ２の印刷時刻である。従って、データ５の位置情報はｌａｂｅｌ２．ｌｂｘに関連付けられていることになる。
【００４６】
（３−２）印刷制御システムの処理の流れ
次に、印刷制御システム１の処理の流れについて説明する。なお、ここではラベルプリンタ５の処理についても併せて説明する。印刷制御システム１は、ラベルを印刷させる処理、位置情報とラベルデータとを関連付ける処理、及び、ラベルを再印刷させる処理を実行する。以下、各処理について順に説明する。
【００４７】
（３−２−１）ラベルを印刷させる処理
先ず、図４を参照して、ラベルを印刷させる処理について説明する。本処理は備品の管理者が携帯端末２を操作してラベル印刷プログラム４２を起動し、起動したラベル印刷プログラム４２によって表示されるメニュー画面でラベルデータの作成を選択すると開始される。
【００４８】
Ｓ１０１では、携帯端末２はラベルデータを作成する。具体的には、携帯端末２はラベルに印刷する文字列の入力を受け付けるＧＵＩ（Ｇｒａｐｈｉｃａｌ  Ｕｓｅｒ  Ｉｎｔｅｒｆａｃｅ）を表示部２４に表示させ、入力された文字列を表す画像を印刷するためのラベルデータを作成する。例えば本実施形態では「管理番号：Ａ１５」といった文字列が入力される。このとき管理者はラベルデータに印刷条件を設定することもできる。印刷条件とは、ラベルの幅、文字列の向き（縦／横）、高画質／低画質などの印刷設定項目の設定値のことをいう。ラベルデータには、印刷する文字列のほかにファイル名、印刷条件なども含まれる。
【００４９】
Ｓ１０２では、携帯端末２はＳ１０１で作成したラベルデータを携帯端末２の記憶部２７に記憶させる。
ただし、携帯端末２の記憶部２７に記憶したラベルデータはその後に記憶部２７の空き容量が足りなくなった場合などに管理者によって削除されてしまう場合もある。
【００５０】
Ｓ１０３では、携帯端末２はＳ１０１で作成したラベルデータをラベルプリンタ５に送信して印刷を実行させる。Ｓ１０３は第１の印刷制御処理の一例である。
Ｓ１０４では、ラベルプリンタ５は携帯端末２から受信したラベルデータを印刷する。この印刷において、ラベルプリンタ５はラベルデータに設定されている印刷条件に基づいてラベルを印刷する。
【００５１】
Ｓ１０５では、携帯端末２はＳ１０１で作成したラベルデータと現在の年月日時分とをサーバ３に送信する。現在の年月日時分は印刷時刻の一例である。また、Ｓ１０５は第１の送信処理の一例である。
サーバ３にラベルデータを送信する理由は、前述したように携帯端末２に記憶したラベルデータは削除されてしまう可能性があるからである。また、サーバ３にラベルデータを記憶しておけば、他の携帯端末２からサーバ３に記憶されているラベルデータを用いてラベルを再印刷することができるからである。
【００５２】
なお、携帯端末２にはラベルデータを記憶せず、サーバ３にのみラベルデータを記憶する構成であってもよい。あるいは、携帯端末２に記憶したラベルデータは少なくともそのラベルデータを用いて印刷されたラベルが貼り付けられている備品が廃棄されるまで削除されないという前提であれば、サーバ３にはラベルデータそのものではなくラベルデータのファイル名のみを送信してもよい。ファイル名のみを送信する場合はファイル名が画像情報の一例である。
【００５３】
Ｓ１０６では、サーバ３は携帯端末２から受信したラベルデータを記憶部３７に記憶するとともに、図３に示すように、そのラベルデータのファイル名と携帯端末２から受信した印刷時刻とを対応付けて記憶部３７に記憶する。
上述したＳ１０５及びＳ１０６は印刷時刻記憶処理の一例である。
【００５４】
（３−２−２）位置情報とラベルデータとを関連付ける処理
次に、図５を参照して、携帯端末２の位置情報とラベルデータとを関連付ける処理について説明する。本処理は管理者が携帯端末２を操作して第１の位置情報取得指示を行うと開始される。具体的には、管理者は携帯端末２を操作して表示部２４に前述したメニュー画面を表示させ、そのメニュー画面で第１の位置情報取得指示を選択することによって第１の位置情報取得指示を行うことができる。ここで、第１の位置情報取得指示を行う場合は、管理者はＳ１０４で印刷されたラベルを備品に貼り付け、張り付けたラベルの近傍に携帯端末２を持っていって第１の位置情報取得指示を行うものとする。
【００５５】
携帯端末２がメニュー画面を表示して第１の位置情報取得指示を受け付ける処理は第１の指示受付処理の一例である。なお、上述したメニュー画面では後述する第２〜第４の位置情報取得指示を選択することもできる。
【００５６】
Ｓ２０１では、携帯端末２は位置情報取得部２６を制御して携帯端末２の位置情報を取得する。Ｓ２０１は第１の位置情報取得処理の一例である。
Ｓ２０２では、携帯端末２はＳ２０１で取得した位置情報と現在の年月日時分とをサーバ３に送信して当該位置情報をラベルデータに関連付けるよう要求する。現在の年月日時分は位置情報取得時刻の一例である。また、Ｓ２０２は第２の送信処理の一例である。
【００５７】
Ｓ２０３では、サーバ３は、図３に示すように、携帯端末２から受信した位置情報と位置情報取得時刻とを対応付けて記憶部３７に記憶する。
上述したＳ２０２及びＳ２０３は位置情報取得時刻記憶処理の一例である。また、Ｓ２０２、及び、Ｓ２０３は第１の位置情報記憶処理の一例である。
【００５８】
（３−２−３）ラベルを再印刷させる処理
次に、図６を参照して、ラベルを再印刷させる処理について説明する。本処理は管理者が携帯端末２を操作して第２の位置情報取得指示を行うと開始される。ここで、第２の位置情報取得指示を行う場合は、管理者は再印刷したいラベルの近傍に携帯端末２を持っていって第２の位置情報取得指示を行うものとする。携帯端末２が第２の位置情報取得指示を受け付ける処理は第２の指示受付処理の一例である。
【００５９】
Ｓ３０１では、携帯端末２は位置情報取得部２６を制御して携帯端末２の位置情報を取得する。Ｓ３０１は第２の位置情報取得処理の一例である。
Ｓ３０２では、携帯端末２はＳ３０１で取得した位置情報をサーバ３に送信してラベルデータのファイル名の送信を要求する。Ｓ３０２は第３の送信処理の一例である。
【００６０】
Ｓ３０３では、サーバ３はＳ３０２で受信した位置情報に関連付けられているラベルデータのファイル名を携帯端末２に送信する。
具体的には、サーバ３は記憶部３７に記憶されている位置情報のうち携帯端末２から受信した位置情報によって示される位置との距離が基準距離以内である位置を示す位置情報に関連付けられているラベルデータのファイル名を携帯端末２に送信する。基準距離は予め決められており、例えば５０ｃｍである。
【００６１】
ここで、携帯端末２から受信した位置情報によって示される位置との距離が基準距離以内である位置を示す位置情報が複数存在する場合は、それら複数の位置情報のうち携帯端末２から受信した位置情報によって示される位置に最も近い位置を示す位置情報に関連付けられているラベルデータのファイル名を携帯端末２に送信するものとする。
【００６２】
Ｓ３０４では、携帯端末２はサーバ３から受信したファイル名のラベルデータが記憶部２７に記憶されているか否かを判断し、記憶されていない場合はＳ３０５に進み、記憶されている場合はＳ３０７に進む。
【００６３】
Ｓ３０５では、携帯端末２はＳ３０４でサーバ３から受信したファイル名をサーバ３に送信してラベルデータの送信を要求する。
Ｓ３０６では、サーバ３は携帯端末２から受信したファイル名のラベルデータを携帯端末２に送信する。
【００６４】
Ｓ３０７では、携帯端末２は記憶部２７に記憶されているラベルデータあるいはＳ３０６でサーバ３から受信したラベルデータをラベルプリンタ５に送信して印刷を実行させる。
上述したＳ３０２〜Ｓ３０６は第２の印刷制御処理の一例である。
【００６５】
Ｓ３０８では、ラベルプリンタ５は携帯端末２から受信したラベルデータが表す画像を印刷することによってラベルを再印刷する。この印刷において、ラベルプリンタ５はラベルデータに設定されている印刷条件に基づいてラベルを印刷する。つまり、Ｓ１０４で印刷されたときと同じ印刷条件でラベルが印刷される。
【００６６】
（４）実施形態の効果
以上説明した印刷制御システム１によると、ラベルを再印刷させたい場合は、管理者はそのラベルが貼り付けられている備品の近傍に携帯端末２を持っていって第２の位置情報取得指示を行えばよい。このため、管理者は複数のラベルデータの中から再印刷させるラベルのラベルデータを見つけ出す作業を行わなくてよい。よって印刷制御システム１によると、目的のラベルを再印刷させる場合の管理者の負担を軽減することができる。
【００６７】
更に、印刷制御システム１によると、印刷時刻と位置情報取得時刻とを介してラベルデータと位置情報とを関連付けることができる。
【００６８】
更に、印刷制御システム１によると、ラベルを再印刷させるとき、そのラベルを最初に印刷させたときと同じ印刷条件で印刷させることができる。
【００６９】
＜実施形態２＞
次に、実施形態２を図７ないし図９によって説明する。
実施形態１では備品８が移動されないことを前提に説明した。しかしながら、備品８が移動されることもある。例えば、第１の位置情報取得指示が行われて位置情報と位置情報取得時刻とが対応付けられてサーバ３に記憶された後に、ラベルが貼り付けられている備品を管理者が基準距離以上移動させたとする。そして、管理者は移動後の位置で第２の位置情報取得指示を行ったとする。この場合、移動後の位置と目的のラベルデータに関連付けられている位置情報によって示される位置との距離は基準距離より長くなってしまうので、目的のラベルを再印刷できなくなってしまう。
【００７０】
そこで、実施形態２に係る印刷制御システム１は、備品が移動しても目的のラベルを再印刷できるようにするために、第１の位置情報取得指示が行われると、管理者から携帯端末２が位置している地域を示す地域情報の入力を受け付ける。そして、印刷制御システム１は、携帯端末２によって取得した位置情報と管理者が入力した地域情報とをラベルデータに関連付けてサーバ３に記憶する。
【００７１】
ここで地域情報は、例えば建物の一つの階が複数の区域に分けられている場合は区域を示す情報である。あるいは、複数の建物がある場合は建物を示す情報を地域情報としてもよい。また、地域情報は一つの建物の１階、２階などの階を示す情報であってもよい。また、地域情報は建物を示す情報、階を示す情報、区域を示す情報の組み合わせであってもよい。
理解を容易にするため、ここでは一つの階が複数の区域に分けられており、別の階には備品は置かれていないものとする。
【００７２】
（１）位置情報とラベルデータとの関連付け
図７を参照して、実施形態２に係る位置情報とラベルデータとの関連付けについて説明する。図７に示すように、実施形態２では位置情報取得時刻、位置情報、及び、地域情報が対応付けられてサーバ３の記憶部３７に記憶される。
【００７３】
例えば第１の位置情報取得指示が行われて位置情報取得時刻、位置情報、及び、地域情報が対応付けられてサーバ３に記憶された後に、管理者が備品を同一地域の別の位置に移動させたとする。そして、移動後の位置で管理者が第２の位置情報取得指示を行い、位置情報として（Ｘ４、Ｙ４）が取得され、地域情報として地域１が入力されたとする。
【００７４】
この場合、移動後の位置（Ｘ４、Ｙ４）との距離が基準距離以内である位置を示す位置情報は記憶されていないとすると、サーバ３は移動後の位置情報からラベルデータを特定することはできない。しかしながら、図７に示す例では地域１が対応付けられている位置情報は記憶されている。この場合は、印刷制御システム１は地域１が対応付けられている位置情報に関連付けられているラベルデータが表すラベルを再印刷する。すなわち、備品が移動されても移動前に置かれていた地域内での移動であればラベルが再印刷される。
【００７５】
ところで、図７に示す例では地域１が対応付けられている位置情報が複数ある。この場合は再印刷するラベルデータを一つに特定できない。そこで、詳しくは後述するが、実施形態２に係る印刷制御システム１は、地域１が対応付けられている位置情報に関連付けられているラベルデータのファイル名あるいはラベルデータの内容を携帯端末２の表示部２４に表示させ、再印刷するラベルデータの選択を管理者から受け付ける。
【００７６】
（２）位置情報とラベルデータとを関連付ける処理
次に、図８を参照して、実施形態２に係る位置情報とラベルデータとを関連付ける処理について説明する。ここでは前述した図５に示す処理と実質的に同一の処理には同一の符号を付して説明を省略する。
【００７７】
Ｓ４０１では、携帯端末２は管理者から携帯端末２が位置している地域を示す地域情報の入力を受け付ける。Ｓ４０１は第１の地域情報受付処理の一例である。
Ｓ４０２では、携帯端末２は位置情報取得時刻、位置情報、及び、Ｓ４０１で受け付けた地域情報をサーバ３に送信する。
Ｓ４０３では、サーバ３は、図７に示すように、Ｓ４０２で受信した位置情報取得時刻、位置情報、及び、地域情報を対応付けて記憶部３７に記憶する。
【００７８】
（３）ラベルを再印刷させる処理
次に、図９を参照して、実施形態２に係るラベルを再印刷させる処理について説明する。ここでは前述した図６に示す処理と実質的に同一の処理には同一の符号を付して説明を省略する。
【００７９】
Ｓ５０１では、携帯端末２は管理者から携帯端末２が位置している地域を示す地域情報の入力を受け付ける。Ｓ５０１は第２の地域情報受付処理の一例である。
Ｓ５０２では、携帯端末２はＳ３０１で取得した位置情報とＳ５０１で受け付けた地域情報とをサーバ３に送信する。
【００８０】
Ｓ５０３では、サーバ３はラベルデータ検索処理を実行する。ラベルデータ検索処理は、Ｓ５０２で受信した位置情報や地域情報からラベルデータを検索し、見つかったラベルデータのファイル名を示すファイル情報を生成する処理である。詳しくは後述するが、ラベルデータ検索処理ではラベルデータが複数見つかった場合は複数のファイル名を示すファイル情報が生成され、ラベルデータが見つからなかった場合はラベルデータが見つからなかったことを示すファイル情報が生成される。
Ｓ５０４では、サーバ３はＳ５０３で生成されたファイル情報を携帯端末２に送信する。
【００８１】
Ｓ５０５では、携帯端末２はＳ５０４でサーバ３から受信したファイル情報によって示されるファイル名を表示部２４に表示させて管理者からファイル名の選択を受け付ける。なお、ファイル情報によって示されるファイル名が一つだけである場合はＳ５０５を実行しないようにしてもよい。また、前述したようにファイル名ではなくラベルデータの内容を表示させて選択を受け付けてもよい。
また、図９では示していないが、携帯端末２は、ラベルデータが見つからなかったことを示すファイル情報を受信した場合はその旨を管理者に報知して処理を終了するものとする。
【００８２】
Ｓ３０４以降の処理は図６に示す処理と実質的に同一であるので説明は省略する。
【００８３】
（４）ラベルデータ検索処理
次に、図１０を参照して、Ｓ５０３で実行されるラベルデータ検索処理について説明する。
Ｓ８０１では、サーバ３はＳ５０２で受信した位置情報によって示される位置との距離が基準距離以内である位置を示す位置情報が記憶部３７に記憶されているか否かを判断し、記憶されている場合はＳ８０２に進み、記憶されていない場合はＳ８０３に進む。
【００８４】
Ｓ８０２では、サーバ３は基準距離以内である位置を示す位置情報に関連付けられているラベルデータのファイル名を示すファイル情報を生成する。
Ｓ８０３では、サーバ３はＳ５０２で受信した地域情報と一致する地域情報が対応付けられている位置情報が記憶部３７に記憶されているか否かを判断し、記憶されている場合はＳ８０４に進み、記憶されていない場合はＳ８０５に進む。
【００８５】
Ｓ８０４では、サーバ３は一致する地域情報が対応付けられている位置情報に関連付けられているラベルデータのファイル名を示すファイル情報を生成する。
ここで、一致する地域情報が対応付けられている位置情報が複数記憶されている場合は、サーバ３は再印刷するラベルデータの選択を受け付けるために、それら複数の位置情報に関連付けられている全てのラベルデータのファイル名を示すファイル情報を生成する。なお、ラベルデータの内容を表示させて選択を受け付ける場合はラベルデータ自体をファイル情報として送信してもよい。その場合は前述したＳ３０４〜Ｓ３０６の処理は不要である。
【００８６】
Ｓ８０５では、サーバ３はラベルデータが見つからなかったことを示すファイル情報を生成する。
【００８７】
（５）実施形態の効果
以上説明した印刷制御システム１によると、ラベルが貼り付けられている備品が移動されたとしても、移動後の位置が第１の地域情報受付処理によって受け付けられた地域内である場合は、ラベルデータに関連付けられている地域情報と第２の地域情報受付処理によって受け付けられた地域情報とが一致するので、ラベルを再印刷させることができる。
【００８８】
更に、印刷制御システム１によると、同一の地域情報が関連付けられているラベルデータが複数ある場合は、どのラベルデータが表すラベルを印刷させるかを備品の管理者が選択することができる。
【００８９】
＜実施形態３＞
次に、実施形態３を図１１ないし図１２によって説明する。
実施形態３は実施形態１の変形例である。実施形態３では第２の位置情報取得指示が受け付けられたとき、次回第２の位置情報取得指示が受け付けられたときのラベルデータの検索を簡略化するために、位置情報に関連付けられているラベルデータにその位置情報を直接対応付ける。
【００９０】
（１）位置情報とラベルデータとの関連付け
図１１は、図３に示す例において、第２の位置情報取得指示が受け付けられ、位置情報として（Ｘ２'、Ｙ２'）が取得された場合を示している。位置情報（Ｘ２'、Ｙ２'）によって示される位置と位置情報（Ｘ２、Ｙ２）によって示される位置との距離は基準距離以内であるとする。この場合、位置情報（Ｘ２、Ｙ２）にはｌａｂｅｌ２．ｌｂｘが関連付けられているので、サーバ３はｌａｂｅｌ２．ｌｂｘに位置情報（Ｘ２'、Ｙ２'）を直接対応付ける。
サーバ３が位置情報（Ｘ２'、Ｙ２'）をｌａｂｅｌ２．ｌｂｘに直接対応付けて記憶する処理は第２の位置情報記憶処理の一例である。
【００９１】
（２）ラベルを再印刷させる処理
次に、図１２を参照して、実施形態３に係るラベルを再印刷させる処理について説明する。実施形態３に係るラベルを再印刷させる処理はＳ６０１が更に実行される点で図６に示す処理と異なる。ここでは図６に示す処理と実質的に同一の処理には同一の符号を付して説明を省略する。
【００９２】
Ｓ６０１では、サーバ３はＳ３０１で携帯端末２から受信した位置情報によって示される位置との距離が基準距離以内である位置を示す位置情報に関連付けられているラベルデータに、Ｓ３０１で携帯端末２から受信した位置情報を直接対応付ける。
【００９３】
（３）実施形態の効果
以上説明した印刷制御システム１によると、第２の位置情報取得処理によって取得された位置情報がラベルデータに直接対応付けられるので、次回第２の位置情報取得処理によって位置情報が取得されたときには、印刷時刻や位置情報取得時刻を介さずにラベルデータを特定することができる。
【００９４】
＜実施形態４＞
次に、実施形態４を図１３によって説明する。
実施形態４は実施形態３の変形例である。前述したように実施形態３では第２の位置情報取得指示が受け付けられたときラベルデータに位置情報が直接対応付けられる。しかしながら、ラベルデータに位置情報が直接対応付けられた後に、そのラベルデータを用いて印刷されたラベルが貼り付けられている備品を管理者が移動させる場合もある。
そこで、実施形態４では、備品が移動された場合に、その備品に貼り付けられているラベルの印刷に用いられたラベルデータに直接対応付けられている位置情報を移動後の位置情報で更新する。
【００９５】
前述した図１１を参照してより具体的に説明する。例えばｌａｂｅｌ２．ｌｂｘに位置情報（Ｘ２'、Ｙ２'）が直接対応付けられているとする。そして、ｌａｂｅｌ２．ｌｂｘを用いて印刷されたラベルが貼り付けられている備品が位置情報（Ｘ２"、Ｙ２"）によって示される位置に移動したとする。この場合、実施形態４に係る印刷制御システム１は、ｌａｂｅｌ２．ｌｂｘに直接対応付けられている位置情報（Ｘ２'、Ｙ２'）を（Ｘ２"，Ｙ２"）に更新する。
【００９６】
（１）位置情報更新処理
図１３を参照して、上述した位置情報を更新する処理について説明する。
Ｓ７０１では、管理者は携帯端末２を操作して第３の位置情報取得指示を行う。ここで、第３の位置情報取得指示を行う場合は、管理者は備品を移動する前に携帯端末２をラベルの近傍に持っていって第３の位置情報取得指示を行うものとする。携帯端末２が管理者から第３の位置情報取得指示を受け付ける処理は第３の指示受付処理の一例である。
【００９７】
Ｓ７０２では、携帯端末２は位置情報取得部２６を制御して携帯端末２の位置情報を取得する。Ｓ７０２は第３の位置情報取得処理の一例である。
Ｓ７０３では、管理者は備品を移動させる。
Ｓ７０４では、管理者は携帯端末２を操作して第４の位置情報取得指示を行う。ここで、第４の位置情報取得指示を行う場合は、管理者は備品を移動した後に携帯端末２をラベルの近傍に持っていって第４の位置情報取得指示を行うものとする。携帯端末２が管理者から第４の位置情報取得指示を受け付ける処理は第４の指示受付処理の一例である。
【００９８】
Ｓ７０５では、携帯端末２は位置情報取得部２６を制御して携帯端末２の位置情報を取得する。Ｓ７０５は第４の位置情報取得処理の一例である。
Ｓ７０６では、携帯端末２はＳ７０２で取得した移動前の位置情報とＳ７０５で取得した移動後の位置情報とをサーバ３に送信する。
Ｓ７０７では、サーバ３はラベルデータに直接対応付けられている位置情報のうちＳ７０６で受信した移動前の位置情報によって示される位置との距離が基準距離内である位置を示す位置情報を、Ｓ７０６で受信した移動後の位置情報で更新する。Ｓ７０７は更新処理の一例である。
【００９９】
（２）実施形態の効果
以上説明した印刷制御システム１によると、管理者は移動後の位置で第２の位置情報取得指示を行っても目的のラベルを再印刷させることができる。
【０１００】
＜他の実施形態＞
上記記述及び図面によって説明した実施形態に限定されるものではなく、例えば次のような実施形態も技術的範囲に含まれる。
【０１０１】
（１）上記実施形態では印刷制御システム１が携帯端末２とサーバ３とで構成されている場合を例に説明した。これに対し、印刷制御システム１は携帯端末２のみで構成されてもよい。すなわち、サーバ３によって行われていた処理は携帯端末２によって行われてもよい。
【０１０２】
（２）上記実施形態では印刷時刻と位置情報取得時刻とを介してラベルデータと位置情報とを関連付ける場合を例に説明した。これに対し、印刷時刻と位置情報取得時刻とを介さずにこれらを関連付けてもよい。
例えば、ラベルデータを印刷した場合はそのラベルデータに位置情報が直接対応付けられるまで別のラベルデータを印刷しないとする。そして、最後に印刷が行われたラベルデータを識別するための情報をサーバ３に記憶しておくものとする。そして、第１の位置情報取得指示が受け付けられて携帯端末２の位置情報が取得されると、その位置情報を、最後に印刷が行われたラベルデータに直接対応付けてもよい。このようにすれば、印刷時刻と位置情報取得時刻とを介さずにラベルデータと位置情報とを直接関連付けることができる。
あるいは、第１の位置情報取得指示を受け付けたとき、位置情報を関連付けるラベルデータを管理者に指定させてもよい。
【０１０３】
（３）上記実施形態では携帯端末２がＳ１０１でラベルデータを作成する場合を例に説明した。これに対し、サーバ３に予め記憶されているラベルデータを印刷させる場合はＳ１０１を実行しないようにしてもよい。
【０１０４】
（４）上記実施形態１ではＳ１０４やＳ３０８でラベルプリンタ５にラベルデータを印刷させるとき、携帯端末２がラベルプリンタ５にラベルデータを送信して印刷させる場合を例に説明した。これに対し、サーバ３がラベルプリンタ５にラベルデータを送信して印刷させてもよい。
【０１０５】
（５）上記実施形態ではラベルを例に説明した。これに対し、ラベルデータに代えて例えば写真を表す画像データであってもよい。例えば写真を壁に張り付けたり、あるいはフレームに入れて飾ったりすることが行われている。上記実施形態に係る印刷制御システム１によれば、ある程度時間が経過して写真が汚れてしまったり退色してしまったりした場合に、その写真の近傍で第２の位置情報取得指示を行うことにより、その写真を再印刷させることができる。
【０１０６】
（６）上記実施形態３では第２の位置情報取得指示が受け付けられた場合に、取得された位置情報によって示される位置との距離が基準距離以内である位置を示す位置情報に関連付けられているラベルデータに当該取得された位置情報を直接対応付ける場合を例に説明した。これに対し、第１の位置情報取得指示が受け付けられたときに位置情報をラベルデータに直接対応付けてもよい。
【０１０７】
具体的には、サーバ３はＳ２０２で携帯端末２から位置情報と位置情報取得時刻とを受信すると、Ｓ２０３において、Ｓ２０２で受信した位置情報取得時刻より過去の時刻を示す印刷時刻のうち当該位置情報取得時刻に最も近い印刷時刻に対応付けられているラベルデータに、Ｓ２０２で受信した位置情報を直接対応付けてもよい。このようにすれば、最初に第２の位置情報取得指示が受け付けられたときにも位置情報からラベルデータを直接特定できる。
【０１０８】
（７）上記実施形態４ではＳ７０１で備品の移動前に第３の位置情報取得指示を行い、移動後に第４の位置情報取得指示を行うと、ラベルデータに直接対応付けられている位置情報のうち移動前に取得した位置情報によって示される位置との距離が基準距離以内である位置を示す位置情報が移動後の位置情報で更新される場合を例に説明した。これに対し、Ｓ７０１で第３の位置情報取得指示が行われると、携帯端末２によって取得された位置情報によって示される位置との距離が基準距離以内である位置を示す位置情報に関連付けられているラベルデータのファイル名をサーバ３から取得し、移動後に第４の位置情報取得指示を行われると、そのファイル名に直接対応付けられている位置情報を移動後の位置情報で更新してもよい。
【０１０９】
（８）上記実施形態４では実施形態４を実施形態３の変形例として説明したが、実施形態４は実施形態１や実施形態２に適用することもできる。つまり、実施形態１や実施形態２において位置情報取得時刻に対応付けられている位置情報を移動後の位置情報で更新してもよい。
【符号の説明】
【０１１０】
１・・・印刷制御システム、２・・・携帯端末、３・・・サーバ、５・・・ラベルプリンタ、６・・・ラベル、２１・・・ＣＰＵ、２６・・・位置情報取得部、２７・・・記憶部、３７・・・記憶部、４２・・・ラベル印刷プログラム、４３・・・ラベルデータ、４５・・・ラベルデータ管理プログラム、４６・・・ラベルデータ
【図１】
2014153800.tif 000003
【図２】
2014153800.tif 000004
【図３】
2014153800.tif 000005
【図４】
2014153800.tif 000006
【図５】
2014153800.tif 000007
【図６】
2014153800.tif 000008
【図７】
2014153800.tif 000009
【図８】
2014153800.tif 000010
【図９】
2014153800.tif 000011
【図１０】
2014153800.tif 000012
【図１１】
2014153800.tif 000013
【図１２】
2014153800.tif 000014
【図１３】
2014153800.tif 000015